(57)【要約】      （修正有）【課題】キャブ内におけるオペレータの居住快適性及び前方視界の拡大による操作安全性の向上を図る。【解決手段】キャブ３のフロントウィンド上部にサンバイザ１４を取り付けた建設機械のモニタパネル装置において、サンバイザ１４に機械動作状態を表示するモニタ及びモニタ用表示スイッチ１０を設け、サンバイザ１４をモニタパネルとして機能させる。【選択図】図２
2010222878.tif 000002
【特許請求の範囲】
【請求項１】
キャブ内におけるフロントウィンド上部にサンバイザが取り付けられた建設機械のモニタパネル装置において、前記サンバイザに機械動作状態を表示するモニタ及びモニタ用スイッチを内蔵し、前記サンバイザをモニタパネルとして兼用できるように構成したことを特徴とする建設機械のモニタパネル装置。
【発明の詳細な説明】
【技術分野】
【０００１】
本発明は建設機械のモニタパネル装置に関するものであり、特に、キャブ前方に設けられたサンバイザをモニタパネルとして兼用できる建設機械のモニタパネル装置に関するものである。
【背景技術】
【０００２】
従来、油圧ショベル等の建設機械は、下部走行体上に上部旋回体が搭載され、該上部旋回体の前部にキャブが設けられている。更に、該キャブ内におけるフロントウィンドの上部にサンバイザが上下開閉可能に取り付けられ、該サンバイザによりキャブ内に射し込む日光を遮断して眩しさを回避できるように構成されている。
【０００３】
又、キャブ内にはオペレータシートが設置され、該オペレータシート近傍の前方にモニタ及びモニタ用スイッチが設けられている。該スイッチを操作することで、モニタのパネル部にエンジン等の機械動作状態が表示される（例えば、特許文献１参照）。
【先行技術文献】
【特許文献】
【０００４】
【特許文献１】特開２００４−１５５３５６号公報
【発明の概要】
【発明が解決しようとする課題】
【０００５】
上記のように、キャブ内におけるオペレータシートの前方にモニタ及びモニタ用スイッチが設けられている。このため、モニタ及びモニタ用スイッチによってフロントウィンドを通じたオペレータの前方視界が損なわれて、建設機械の運転操作時の安全性が低下するという問題があった。
【０００６】
又、前記モニタ及びモニタ用スイッチの設置スペースを特別に確保しなければならないので、その分だけキャブ内における居住空間が狭隘になって、キャブ内の居住快適性が低下するという問題があった。
【０００７】
そこで、キャブ内におけるオペレータの居住快適性、及び前方視界の拡大による操作安全性を向上させるために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、キャブ内におけるフロントウィンド上部にサンバイザが取り付けられた建設機械のモニタパネル装置において、前記サンバイザに機械動作状態を表示するモニタ及びモニタ用スイッチを内蔵し、前記サンバイザをモニタパネルとして兼用できるように構成したことを特徴とする建設機械のモニタパネル装置を提供する。
【０００９】
この構成によれば、機械動作状態を表示するモニタ及びモニタ用スイッチをサンバイザに内蔵させたことにより、該サンバイザがモニタの表示画面としても機能する。依って、サンバイザ自体がモニタパネル部の機能を兼用するので、従来例のようにキャブ内にモニタ及びモニタ用スイッチを別途配設することが不要になる。
【発明の効果】
【００１０】
請求項１記載の発明は、サンバイザがモニタパネルの機能を兼用することにより、従来例においてキャブ前部に設置されていたモニタ及びモニタ用スイッチを省略できるので、オペレータのフロントウィンドを通じた前方視界が拡大して、建設機械の運転操作時の安全性を向上させることができる。
【００１１】
又、モニタ及びモニタ用スイッチをサンバイザに内蔵したことにより、必要な設置スペースを削減できるので、キャブ内の居住空間が広くなって、オペレータの居住快適性を向上させることができる。
【図面の簡単な説明】
【００１２】
【図１】本発明に係る一実施例を示し、油圧ショベルの上部旋回体に搭載された装置を概念的に説明する平面図。
【図２】本発明に係るモニタパネル装置の構成例を示す説明図。
【図３】本発明に係るモニタパネル装置の表示画面の具体例を示す説明図。
【発明を実施するための形態】
【００１３】
本発明は、キャブ内におけるオペレータの居住快適性、並びに前方視界の拡大による操作安全性を向上させるという目的を達成するために、キャブ内におけるフロントウィンド上部にサンバイザが取り付けられた建設機械のモニタパネル装置において、前記サンバイザに機械動作状態を表示するモニタ及びモニタ用スイッチを内蔵し、前記サンバイザをモニタパネルとして兼用できるように構成したことにより実現した。
【実施例１】
【００１４】
以下、本発明の好適な一実施例を図１乃至図３に基づいて説明する。図１は本実施例に係る油圧ショベルの上部旋回体を示す。同図において、１は下部走行体（図示せず）上に旋回自在に搭載された上部旋回体であり、該上部旋回体１の前方中央部には、ブーム、アーム及びバケットから成る作業機２が上下回動可能に枢着されている。
【００１５】
又、上部旋回体１の前方一側部にはキャブ３が設けられ、該キャブ３内にオペレータシート４が配設されている。又、キャブ３内の前面部には、カラー液晶表示装置から成るモニタ５が設置され、更に、該モニタ５には機体コントローラ６が接続されている。
【００１６】
上部旋回体１の後部にはエンジン７が搭載され、該エンジン７の出力軸には油圧ポンプ８が連結されている。又、エンジン７及び油圧ポンプ８には機械動作状態（機械の作業状況を含む）を検出する手段、例えば、燃料噴射量検出手段９及びエンジン回転数検出手段（図示せず）等の各種検出手段が取り付けられている。
【００１７】
燃料噴射量検出手段９等の各種検出手段は機体コントローラ６に出力され、上記キャブ３内のモニタ５により、エンジン回転数等の機械動作状態がリアルタイムで画面表示される。尚、図中における符号１１は吸気管、１２は排気管、１３はフィルタである。
【００１８】
本実施例に係るモニタ５及びモニタ用スイッチ１０は従来例とは異なり、キャブ３内に設けたサンバイザ１４に内蔵され、該サンバイザ１４の前面はモニタパネルの表示機能を兼用している。
【００１９】
図２はキャブ３内の前方窓部を示す。同図において、１５はキャブ３内の前面部を構成するフロントウィンドであり、該フロントウィンド１５は上側窓部１５ａと下側窓部１５ｂとに画成されている。又、フロントウィンド１５の最上部近傍には横長形状のサンバイザ１４が配設されている。該サンバイザ１４は、キャブ３内の天井部近傍に略水平に取り付けた屈曲形状の支持軸１６を介して上下開閉自在に設けられている。尚、サンバイザ１４の背面側には断熱材を設けることができる。
【００２０】
依って、フロントウィンド１５上部に配設されたサンバイザ１４を下方に回動させることにより、キャブ３内に入射する日光が該サンバイザ１４によって遮断される。又、キャブ３内に日光が入射しないときは、サンバイザ１４を上方に回動させることにより、該サンバイザ１４が格納位置に収納される。
【００２１】
さらに、サンバイザ１４の内部には前記モニタ５及びモニタ用スイッチ１０が配置されている。本実施例では、モニタ用スイッチ１０はタッチパネル方式のスイッチであり、図３に示すように、サンバイザ１４の前面上でモニタ用スイッチ１０の操作部をタッチ操作することにより、画面表示部が切り換えられる。
【００２２】
叙上の如く本発明によると、サンバイザ１４にモニタ５及びモニタ用スイッチ１０を内蔵したことにより、該サンバイザ１４の表面に燃料噴射量又はエンジン回転数等の機械動作状態が表示される。従って、サンバイザ１４自体がモニタパネルとして機能するので、従来例のように、オペレータシート４の前方近傍にモニタ及びモニタ用スイッチを設ける必要がない。
【００２３】
斯くして、モニタ５及びモニタ用スイッチの設置スペースの分だけ、キャブ内の居住空間が広くなり、その結果、キャブ内おけるオペレータの居住快適性が向上する。
【００２４】
又、オペレータシートの前方近傍にモニタ及びモニタ用スイッチを設置していた従来方式に比べて、該モニタ及びモニタ用スイッチの大きさに対応した分だけ、フロントウィンドを通じた前方視界が拡大するので、油圧ショベルの運転操作時における安全性が大幅に向上する。
【００２５】
更に、サンバイザの背面側に断熱材を設けた場合、或いは、サンバイザ自体を断熱材で形成した場合には、気温が高いときでもモニタの機能が常に安定して維持されて、該モニタの寿命性が向上する。
【００２６】
なお、本発明は、本発明の精神を逸脱しない限り種々の改変を為すことができ、そして、本発明が該改変されたものに及ぶことは当然である。
【産業上の利用可能性】
【００２７】
本発明に係るモニタパネル装置は、キャブ前部の右側箇所又は左側箇所の何れに配置したサンバイザにも適用することができる。
【符号の説明】
【００２８】
３  キャブ
５  モニタ
１０  モニタ用スイッチ
１３  フロントウィンド
１４  サンバイザ
【図１】
2010222878.tif 000003
【図２】
2010222878.tif 000004
【図３】
2010222878.tif 000005